(57)【要約】      （修正有）【課題】誤接続の検出を容易にする端末装置、変換アダプタ、端末システム及び端末装置の制御方法を提供する。【解決手段】ＤＰコネクタ４１は、ディスプレイポートの規格に準拠し、ＰＣ２に接続され映像信号、制御信号及び電力の入力を受ける。ＤＶＩ／ＨＤＭＩ（登録商標）コネクタ５１は、ＤＶＩ／ＨＤＭＩの規格に準拠し、ＤＰコネクタ４１へ入力された映像信号、制御信号及び電力を他の装置へ転送する。判定回路１０３及び判定部１０５は、ＤＰコネクタ４１へ入力された第１電力、ＤＶＩ／ＨＤＭＩコネクタ５１へ入力された第２電力及びＤＰコネクタ４１へ入力された制御信号を基に、ＤＰコネクタ４１及びＤＶＩ／ＨＤＭＩコネクタ５１に対する接続が誤接続であるか否かを判定する。ＬＥＤ１１２は、誤接続を報知する。【選択図】図１
2018117225.tif 000002
【特許請求の範囲】
【請求項１】
情報処理装置及び前記情報処理装置に接続される変換アダプタを有する端末装置であって、
前記情報処理装置は、
第１規格又は前記第１規格とは異なる第２規格に準拠した映像信号のいずれか一方を選択して出力する、又はいずれかを固定的に出力する映像出力部と、
前記映像信号に関する制御信号を出力する制御信号出力部と、
前記映像信号の表示に用いる電力を出力する電圧出力部とを備え、
前記変換アダプタは、
前記情報処理装置に接続され前記映像信号、前記制御信号及び前記電力の入力を受ける前記第１規格に準拠した第１ポートと、
前記第１ポートへ入力された前記映像信号、前記制御信号及び前記電力を他の装置へ出力する前記第２規格に準拠した第２ポートと、
前記第１ポートへ入力された第１電力、前記第２ポートへ入力された第２電力、及び前記第１ポートへ入力された前記制御信号を基に、前記第１ポート及び前記第２ポートに対する接続が誤接続であるか否かを判定する判定部と、
前記誤接続を報知する報知部とを備えた
ことを特徴とする端末装置。
【請求項２】
前記判定部は、
前記第１電力及び前記第２電力を基に、前記第２ポートに前記情報処理装置が接続されたか否かを判定する第１判定部と、
前記第１判定部により前記第２ポートに前記情報処理装置が接続されていないと判定された場合、前記第１ポートから入力された前記制御信号を基に、前記第１ポートに前記第２規格に準拠した映像信号のみを固定的に出力する映像出力部が接続されたか否かを判定する第２判定部と
を備えたことを特徴とする請求項１に記載の端末装置。
【請求項３】
前記第１判定部は、前記第１電力の電圧レベルがＨｉｇｈであり、前記第２電力の電圧レベルがＨｉｇｈの場合に、前記第２ポートに前記情報処理装置が接続されたと判定することを特徴とする請求項２に記載の端末装置。
【請求項４】
前記第２判定部は、前記第１ポートから入力された前記制御信号の電圧レベルがＬｏｗレベルの場合に、前記第１ポートに前記第２規格に準拠した映像信号のみを固定的に出力する前記映像出力部が接続されたと判定することを特徴とする請求項２又は３に記載の端末装置。
【請求項５】
前記映像出力部は、前記第１規格又は前記第２規格に準拠した映像信号のいずれか一方を選択して出力し、
前記情報処理装置は、所定条件の場合に、前記映像出力部による前記第２規格に準拠した映像信号の出力を制限する出力制限部をさらに備え、
前記判定部は、前記第１電力、前記第２電力、及び前記第１ポートに入力された前記制御信号を基に、前記映像出力部による前記第２規格に準拠した映像信号の出力が制限されているか否かを判定する
ことを特徴とする請求項１〜４のいずれか一つに記載の端末装置。
【請求項６】
映像信号、制御信号及び電力の入力を受ける、第１規格に準拠した第１ポートと、
前記第１ポートへ入力された前記映像信号、前記制御信号及び前記電力を他の装置へ出力する、前記第１規格とは異なる第２規格に準拠した第２ポートと、
前記第１ポートへ入力された第１電力、前記第２ポートへ入力された第２電力、及前記第１ポートへ入力された前記制御信号を基に、前記第１ポート及び前記第２ポートに対する接続が誤接続であるか否かを判定する判定部と、
前記誤接続を報知する報知部と
を備えたことを特徴とする変換アダプタ。
【請求項７】
情報処理装置、画像表示装置及び前記情報処理装置と前記画像表示装置とを接続する変換アダプタとを有する端末システムであって、
前記情報処理装置は、
第１規格又は前記第１規格とは異なる第２規格に準拠した映像信号のいずれか一方を選択して出力する、又はいずれかを固定的に出力する映像出力部と、
前記映像信号に関する制御信号を出力する制御信号出力部と、
前記映像信号の表示に用いる電力を出力する電圧出力部とを備え、
前記変換アダプタは、
前記情報処理装置に接続され、前記映像信号、前記制御信号及び前記電力の入力を受ける、前記第１規格に準拠した第１ポートと、
前記画像表示装置に接続され、前記第１ポートへ入力された前記映像信号、前記制御信号及び前記電力を前記画像表示装置へ出力する前記第２規格に準拠した第２ポートと、
前記第１ポートへ入力された第１電力、前記第２ポートへ入力された第２電力、及び前記第１ポートへ入力された前記制御信号を基に、前記第１ポート及び前記第２ポートに対する接続が誤接続であるか否かを判定する判定部と、
前記誤接続を報知する報知部とを備え、
前記画像表示装置は、
前記第２ポートから出力された映像信号を取得して表示させる映像処理部と、
前記第２ポートから出力された制御信号を処理する制御処理部とを備えた
ことを特徴とする端末システム。
【請求項８】
情報処理装置及び前記情報処理装置に接続される変換アダプタを有する端末装置の制御方法であって、
前記情報処理装置に、
第１規格又は前記第１規格とは異なる第２規格に準拠した映像信号のいずれか一方を選択して出力させ、又はいずれかを固定的に出力させ、
前記映像信号に関する制御信号を出力させ、
前記映像信号の表示に用いる電力を出力させ、
前記変換アダプタに、
前記情報処理装置に接続され、前記映像信号、前記制御信号及び前記電力の入力を受ける、前記第１規格に準拠した第１ポートへ入力された第１電力、前記第１ポートへ入力された前記映像信号、前記制御信号及び前記電力を他の装置へ転送する、前記第２規格に準拠した第２ポートへ入力された第２電力、及び前記第１ポートへ入力された前記制御信号を基に、前記第１ポート及び前記第２ポートに対する接続が誤接続であるか否かを判定させ、
前記誤接続を報知させる
ことを特徴とする端末装置の制御方法。
【発明の詳細な説明】
【技術分野】
【０００１】
本発明は、端末装置、変換アダプタ、端末システム及び端末装置の制御方法に関する。
【背景技術】
【０００２】
近年、ディスプレイポートと呼ばれる規格に準拠した画面出力端子が搭載されたパーソナルコンピュータなどの端末装置が増えてきている。ディスプレイポートとは、液晶ディスプレイなどのデジタルディスプレイ装置のために設計された映像の入出力インタフェースの規格である。
【０００３】
一方、従来主流であったＤＶＩ（Digital  Visual  Interface）やＨＤＭＩ（登録商標）（High  Definition  Multimedia  interface）で用いられるＴＭＤＳ（Transmission  Minimized  Signaling）転送に対応した入力端子を有するディスプレイ装置はまだ多数存在する。そのため、ディスプレイポートの出力端子を有する端末装置にＤＶＩやＨＤＭＩの入力端子を有するディスプレイ装置を接続したいという要望は根強く残っている。以下では、ディスプレイポートの出力ポートを、単に「ディスプレイポート」といい、ＴＭＤＳ転送に対応した入力ポートを、「ＤＶＩ／ＨＤＭＩポート」という。
【０００４】
そこで、ディスプレイポートと、ＤＶＩ／ＨＤＭＩポートとを接続するために、端末装置のディスプレイポートから出力された信号をディスプレイ装置のＤＶＩ／ＨＤＭＩポートへ入力するアダプタが用いられる。ここで、ディスプレイポートが搭載された端末装置には、シングルモードに対応した端末装置とデュアルモードに対応した端末装置とがある。ここでは、シングルモードに対応した端末装置のディスプレイポートを「シングルモードのディスプレイポート」といい、デュアルモードに対応した端末装置のディスプレイポートを「デュアルモードのディスプレイポート」という。
【０００５】
シングルモードのディスプレイポートは、ＴＭＤＳ転送に対応していない。そこで、シングルモードのディスプレイポートからＤＶＩ／ＨＤＭＩポートへ信号を出力するには、コネクタ形状の物理的な変換とともに、ディスプレイポートに準拠した信号をＤＶＩ又はＨＤＭＩに準拠した信号に変換する信号変換するアダプタが用いられる。ディスプレイポートに」準拠した信号をＤＶＩ又はＨＤＭＩに準拠した信号に変換するプロ語コルコンバータとクロックジェネレータを有し、ディスプレイポートに準拠した信号をＤＶＩ又はＨＤＭＩに準拠した信号に変換するチップが内蔵されているアダプタは、アクティブアダプタと呼ばれる。
【０００６】
これに対して、デュアルポートのディスプレイポートは、ＴＭＤＳ転送に対応しているので、単にコネクタ形状の物理的な変換を行うアダプタが用いられる。このように、端末装置がディスプレイポートに準拠した信号をＤＶＩ又はＨＤＭＩに準拠した信号に変換する機能を有する場合に用いられるアダプタは、パッシブアダプタと呼ばれる。パッシブアダプタは、クロックジェネレータを有さない。
【０００７】
パッシブアダプタは、一端にディスプレイポートのコネクタ形状を有するポートを有し、他端にＤＶＩ／ＨＤＭＩポートのコネクタ形状を有するポートを有する。そして、パッシブアダプタは、ディスプレイポートのコネクタ形状を有するポートに入力された信号の利得率を変換し、バッファに蓄積して出力する。デュアルモードに対応した端末装置は、パッシブアダプタの接続を検出した場合、出力する信号をＤＶＩ又はＨＤＭＩの規格に準拠した信号に切り替える。
【０００８】
なお、電子機器の接続に関する技術として、受電側の機器に、正規の電圧を有する電気を供給する前に低電圧を印加して過電流が発生しないことを確認する従来技術がある。また、接続された一方の機器の入力端子を出力端子として動作させることで正常な反応が返ってきた場合に、入力端子同士が接続されていることを検出する従来技術がある。
【先行技術文献】
【特許文献】
【０００９】
【特許文献１】特開２０１４−１１０５５０号公報
【特許文献２】特開２０１０−９７２８８号公報
【発明の概要】
【発明が解決しようとする課題】
【００１０】
しかしながら、パッシブアダプタは誤接続を検知したり入力された信号を識別したりする機能を有さない。デュアルモードに対応した端末装置には、デュアルモードに対応することを示すマークが付加されているが、そのマークの意味を利用者が把握していないおそれがある。そのような利用者は、シングルモードのディスプレイポートにパッシブアダプタを接続してしまうことが考えられる。
【００１１】
シングルモードのディスプレイポートにパッシブアダプタが誤接続された場合、パッシブアダプタはディスプレイポートに準拠した信号をそのままディスプレイ装置へ出力する。この場合、ＤＶＩ／ＨＤＭＩポートにはディスプレイポートに準拠した信号が入力されるため、ディスプレイ装置は映像を出力しない。そのため、利用者は、画面が出力されないためどのような問題が発生しているのか分からず、誤接続が原因であることを把握することは困難である。
【００１２】
この点、事前に低電圧を印加して過電流が発生しないことを確認する従来技術では、利用者に誤接続を把握させることは困難である。また、入力端子同士の接続を検出する従来技術を用いても、シングルモードのディスプレイポートにパッシブアダプタが誤接続されたことを利用者に把握させることは困難である。
【００１３】
開示の技術は、上記に鑑みてなされたものであって、誤接続の検出を容易にする端末装置、変換アダプタ、端末システム及び端末装置の制御方法を提供することを目的とする。
【課題を解決するための手段】
【００１４】
本願の開示する端末装置、変換アダプタ、端末システム及び端末装置の制御方法の一つの態様において、端末装置は、情報処理装置及び前記情報処理装置に接続される変換アダプタを有する。前記情報処理装置は、以下の各部を有する。映像出力部は、第１規格又は前記第１規格とは異なる第２規格に準拠した映像信号のいずれか一方を選択して出力する、又はいずれかを固定的に出力する。制御信号出力部は、前記映像信号に関する制御信号を出力する。電圧出力部は、前記映像信号の表示に用いる電力を出力する。変換アダプタは、以下の各部を有する。第１ポートは、前記第１規格に準拠し、前記情報処理装置に接続され前記映像信号、前記制御信号及び前記電力の入力を受ける。第２ポートは、前記第２規格に準拠し、前記第１ポートへ入力された前記映像信号、前記制御信号及び前記電力を他の装置へ出力する。判定部は、前記第１ポートへ入力された第１電力、前記第２ポートへ入力された第２電力、及び前記第１ポートへ入力された前記制御信号を基に、前記第１ポート及び前記第２ポートに対する接続が誤接続であるか否かを判定する。報知部は、前記誤接続を報知する。
【発明の効果】
【００１５】
１つの側面では、本発明は、誤接続の検出を容易にすることができる。
【図面の簡単な説明】
【００１６】
【図１】図１は、パッシブアダプタがデュアルモードに対応したディスプレイポートに接続された場合のブロック図である。
【図２】図２は、ＤＤＣ信号通信部及びＡＵＸ信号通信部とＤＰコネクタとの接続の詳細を表す回路図である。
【図３】図３は、判定テーブルの一例の図である。
【図４】図４は、パッシブアダプタがデュアルモード非対応のディスプレイポートに接続された場合のブロック図である。
【図５】図５は、パッシブアダプタが逆接続された場合のブロック図である。
【図６】図６は、判定部による昇圧器の制御のフローチャートである。
【図７】図７は、実施例１に係る判定回路によるＬＥＤの点灯制御のフローチャートである。
【図８】図８は、デュアルモードに対応したディスプレイポートを有するＰＣにおいてＤＶＩ／ＨＤＭＩの出力への切替が困難な状態を表したブロック図である。
【図９】図９は、実施例２に係る判定回路によるＬＥＤの点灯制御のフローチャートである。
【発明を実施するための形態】
【００１７】
以下に、本願の開示する端末装置、変換アダプタ、端末システム及び端末装置の制御方法の実施例を図面に基づいて詳細に説明する。なお、以下の実施例により本願の開示する端末装置、変換アダプタ、端末システム及び端末装置の制御方法が限定されるものではない。
【実施例１】
【００１８】
図１は、パッシブアダプタをデュアルモードに対応したＰＣに正常に接続された場合のブロック図である。パッシブアダプタ１は、ＰＣ２とディスプレイ装置３が接続される。パッシブアダプタ１は、正常な動作をする場合、ＰＣ２から出力されたディスプレイポートに準拠した信号をＤＶＩ／ＨＤＭＩポートに準拠した信号に変換してＤＶＩ／ＨＤＭＩポートを有するディスプレイ装置３へ出力する。ここでは、図１を参照して、パッシブアダプタ１が正常に接続された場合の構成について説明する。ここで、ディスプレイポートの規格が、「第１規格」の一例にあたる。また、ＤＶＩ／ＨＤＭＩの規格が、「第２規格」にあたる。
【００１９】
この場合、ＰＣ２は、デュアルモード出力部２０１、スイッチ２０２、ＡＵＸ（Auxiliary）信号通信部２０３、ＤＤＣ（Display  Data  Channel）信号通信部２０４、スイッチ２０５、検出回路２０６及びＤＰ用電圧２０７を有する。ＰＣ２は、デュアルモードに対応した情報処理装置である。
【００２０】
デュアルモード出力部２０１は、ＤＰ（Display  Port）出力部２１１及びＤＶＩ／ＨＤＭＩ出力部２１２を有する。このデュアルモード出力部２０１が、「映像出力部」の一例にあたる。
【００２１】
ＤＰ出力部２１１は、ディスプレイポートに準拠した映像信号を出力する。ＤＰ出力部２１１は、差動の電圧を有する信号を出力する。以下では、ディスプレイポートに準拠した映像信号を「ＤＰ信号」という場合がある。
【００２２】
ＤＶＩ／ＨＤＭＩ出力部２１２は、ＤＶＩ／ＨＤＭＩポートのプロトコルに準拠した映像信号を出力する。ＤＶＩ／ＨＤＭＩ出力部２１２は、差動の電圧を有する信号を出力する。以下では、ＤＶＩ／ＨＤＭＩポートに準拠した映像信号を「ＤＶＩ／ＨＤＭＩ信号」という場合がある。このＤＰ出力部２１１及びＤＶＩ／ＨＤＭＩ出力部２１２が、「映像出力部」の一例にあたる。
【００２３】
スイッチ２０２は、ＤＰコネクタ４１を介してパッシブアダプタ１のレベルシフタ１０１に繋がる信号経路に接続される。さらに、スイッチ２０２は、検出回路２０６からの制御を受けて、レベルシフタ１０１へ繋がる経路の接続元をＤＰ出力部２１１又はＤＶＩ／ＨＤＭＩ出力部２１２のいずれかに切り替える。
【００２４】
ＡＵＸ信号通信部２０３は、ディスプレイポートの信号に関する制御信号などを含むＤＰ信号の補助信号であるＡＵＸ信号の送受信をディスプレイ装置３との間で行う。ＡＵＸ信号は、送信側の情報によるリンク管理、ステータス及びコンフィグレーション制御のための通信に用いられる。ＡＵＸ信号通信部２０３は、例えば、ＡＵＸ信号通信部２０３は、ディスプレイ装置３に関する情報の取得やＰＣ２に関する情報のディスプレイ装置３への送信といった、ディスプレイ装置３との接続に用いる情報の送受信などを行う。ＡＵＸ信号通信部２０３は、後述するＤＤＣ信号通信部３０２と異なり、電圧がプルアップされたクロック信号の出力は行わない。
【００２５】
ＤＤＣ信号通信部２０４は、ＤＶＩ／ＨＤＭＩポートの信号に関する制御信号などを含むＤＶＩ／ＨＤＭＩ信号の補助信号であるＤＤＣ信号の送受信をディスプレイ装置３との間で行う。また、ＤＤＣ信号通信部２０４は、電圧が３．３Ｖにプルアップされたクロック信号を出力する。
【００２６】
図２は、ＤＤＣ信号通信部及びＡＵＸ信号通信部とＤＰコネクタとの接続の詳細を表す回路図である。経路４１１は、図１におけるＤＰコネクタ４１からスイッチ２０５へ延びる経路にあたる。また、経路４１２は、図１におけるＤＰコネクタ４１から検出回路２０６へ延びるＰｉｎ１３の経路にあたる。
【００２７】
ＤＤＣ信号通信部２０４とＤＰコネクタ４１とを結ぶ経路４１２にはＦＥＴ（Field  Effect  Transistor）スイッチ２４４が配置される。さらに、ＦＥＴスイッチ２４４とＤＤＣ信号通信部２０４とを結ぶ経路４１１は途中で分岐して、プルアップ電源２４２及びプルアップ抵抗２４３が配置される。
【００２８】
ＡＵＸ信号通信部２０３とＤＰコネクタ４１とを結ぶ経路４１１にはＦＥＴスイッチ２３２が配置される。また、ＦＥＴスイッチ２３２とＤＰコネクタ４１との間には、インバータ２３３が配置される。さらに、ＡＵＸ信号通信部２０３とＦＥＴスイッチ２３２との間には、キャパシタ２３１が配置される。
【００２９】
回路２５０は、スイッチ２０５及び検出回路２０６の一例にあたる。経路４１２の電圧レベルがＨｉｇｈになると、ＦＥＴスイッチ２４４がオンになり、ＤＤＣ信号通信部２０４とＤＰコネクタ４１とが接続される。また、経路４１２の電圧レベルがＬｏｗになると、インバータ２３３で電圧レベルが反転され、ＦＥＴスイッチ２３２がオンになる。
【００３０】
ＤＤＣ信号通信部２０４が出力するクロック信号はプルアップ電源２４２により３．３Ｖに電位が固定される。そのため、ＤＤＣ信号通信部２０４が出力するクロック信号は、プルアップスイッチ１１０がオフとなりプルアップ電源１１１による電位の固定が行われなくても、電圧が３．３Ｖの信号としてＤＤＣバッファ１０２へ送られる。
【００３１】
ＡＵＸ信号通信部２０３が出力する信号は、キャパシタ２３１により交流の信号となる。そこで、ＡＵＸ信号通信部２０３は、プルアップされたクロック信号を出力しない。
【００３２】
スイッチ２０５は、ＤＰコネクタ４１を介してパッシブアダプタ１のＤＤＣバッファ１０２に繋がる信号経路に接続される。さらに、スイッチ２０５は、検出回路２０６からの制御を受けて、ＤＤＣバッファ１０２へ繋がる経路の接続元をＡＵＸ信号通信部２０３又はＤＤＣ信号通信部２０４のいずれかに切り替える。
【００３３】
検出回路２０６は、ＤＰコネクタ４１を介して接続された接続先から入力される電圧によってパッシブアダプタ１の検出を行う。例えば、検出回路２０６は、ＰＣ２の起動時にはＡＵＸ信号通信部２０３及びＤＤＣ信号通信部２０４のいずれも選択しない状態にスイッチ２０５を設定する。その後、検出回路２０６は、ＤＰコネクタ４１を介した接続先から電圧が入力されたか否かにより、パッシブアダプタ１が接続されたか否かを検出する。
【００３４】
そして、検出回路２０６は、電圧の入力を受けない場合、スイッチ２０２をＤＰ出力部２１１に切り替え、スイッチ２０５をＡＵＸ信号通信部２０３に切り替える。これにより、検出回路２０６は、ＡＵＸ信号を有効にし、且つ、ＤＤＣ信号を無効にして、ＤＰ信号を出力するようにＰＣ２を構成する。
【００３５】
これに対して、電圧の入力を受けた場合、検出回路２０６は、スイッチ２０２をＤＶＩ／ＨＤＭＩ出力部２１２に切り替え、スイッチ２０５をＤＤＣ信号通信部２０４に切り替える。これにより、検出回路２０６は、ＡＵＸ信号を無効にし、且つ、ＤＤＣ信号を有効にして、ＤＶＩ／ＨＤＭＩ信号を出力するようにＰＣ２を構成する。
【００３６】
正常に接続された場合、検出回路２０６は、図１に示すようにパッシブアダプタ１が有するパッシブアダプタ１が接続されたことを検出するための端子にＤＰコネクタ４１を介して接続される。パッシブアダプタ１が接続されたことを検出するための端子は、「Ｐｉｎ１３」と呼ばれる場合がある。検出回路２０６は、接続先からＤＰコネクタ４１を介してパッシブアダプタ１に入力された電圧の入力を受ける。この場合、検出回路２０６は、スイッチ２０２をＤＶＩ／ＨＤＭＩ出力部２１２に切り替え、スイッチ２０５をＤＤＣ信号通信部２０４に切り替える。
【００３７】
ＤＰ用電圧２０７は、３．３Ｖの電圧の電気を出力する。正常に接続された場合、ＤＰ用電圧２０７は、ＤＰコネクタ４１を介してパッシブアダプタ１の昇圧器１０４に繋がる経路に接続される。そして、ＤＰ用電圧２０７は、３．３Ｖの電圧の電気を昇圧器１０４へ出力する。このＤＰ用電圧２０７が、「電圧出力部」の一例にあたる。
【００３８】
ＤＶＩ／ＨＤＭＩ接続ケーブル５０は、ディスプレイ装置３とパッシブアダプタ１とを接続するケーブルである。ＤＶＩ／ＨＤＭＩ接続ケーブル５０は、ＤＶＩ／ＨＤＭＩコネクタ５１及び５３、並びに、ケーブル５２を有する。
【００３９】
ディスプレイ装置３は、ＤＶＩ／ＨＤＭＩポートを有する。ディスプレイ装置３は、ＤＶＩ／ＨＤＭＩ受信部３０１、ＤＤＣ信号通信部３０２及び電源電圧３０３を有する。このディスプレイ装置３が、「画像表示装置」の一例にあたる。
【００４０】
ＤＶＩ／ＨＤＭＩ受信部３０１は、ＤＶＩ／ＨＤＭＩ接続ケーブル５０を介してＤＶＩ／ＨＤＭＩ信号の入力を受ける。そして、ＤＶＩ／ＨＤＭＩ受信部３０１は、液晶画面などの表示画面に映像を表示させる。
【００４１】
また、ＤＶＩ／ＨＤＭＩ受信部３０１は、ＤＶＩ／ＨＤＭＩ接続ケーブル５０を介してＤＰ信号の入力を受けた場合、映像を処理することが困難である。この場合、ディスプレイ装置３の表示画面は、受信したＤＰ信号をもちいた映像の表示は行わず、映像を何も表示しない。
【００４２】
正常に接続された場合、ＤＶＩ／ＨＤＭＩ受信部３０１は、図１に示すようにＤＶＩ／ＨＤＭＩ接続ケーブル５０を介してパッシブアダプタ１のレベルシフタ１０１に繋がる経路に接続される。そして、ＤＶＩ／ＨＤＭＩ受信部３０１は、レベルシフタ１０１からＤＶＩ／ＨＤＭＩ信号の入力を受け表示画面に映像を出力させる。このＤＶＩ／ＨＤＭＩ受信部３０１が、「映像処理部」の一例にあたる。
【００４３】
ＤＤＣ信号通信部３０２は、ＤＤＣ信号の送受信を行う。また、ＤＤＣ信号通信部３０２は、ＡＵＸ信号の入力を受けた場合、ＡＵＸ信号の処理は行わない。
【００４４】
正常に接続された場合、ＤＤＣ信号通信部３０２は、図１に示すようにＤＶＩ／ＨＤＭＩ接続ケーブル５０を介してパッシブアダプタ１のＤＤＣバッファ１０２に繋がる経路に接続される。そして、ＤＤＣ信号通信部３０２は、ＤＤＣバッファ１０２を介してＰＣ２のＤＤＣ信号通信部２０４との間でＤＤＣ信号の送受信を行い、ＤＶＩ／ＨＤＭＩ信号の送受信に関する制御を行う。このＤＤＣ信号通信部３０２が、「制御処理部」の一例にあたる。
【００４５】
電源電圧３０３は、ディスプレイ装置３を動作させるための電源となる。電源電圧３０３は、ＤＶＩ／ＨＤＭＩ接続ケーブル５０を介して５．０Ｖの電圧の電気の入力を受ける。そして、電源電圧３０３は、供給された電気をディスプレイ装置３の各部に供給する。
【００４６】
パッシブアダプタ１は、レベルシフタ１０１、ＤＤＣバッファ１０２、判定回路１０３、昇圧器１０４、判定部１０５及びＤＰコネクタ４１を有する。さらに、パッシブアダプタ１は、抵抗１０６、ダイオード１０７、可変ダイオード１０８、プルアップ抵抗１０９、プルアップスイッチ１１０、プルアップ電源１１１及びＬＥＤ（Light  Emitting  Diode）１１２を有する。このパッシブアダプタ１が、「変換アダプタ」の一例にあたる。また、ＤＰコネクタ４１が、「第１ポート」の一例にあたる。
【００４７】
レベルシフタ１０１は、入力された信号の利得率を調整して出力する。レベルシフタ１０１は、ＤＶＩ／ＨＤＭＩ信号が入力された場合、利得率を調整してＤＶＩ／ＨＤＭＩ信号を出力する。
【００４８】
正常に接続された場合、レベルシフタ１０１は、図１に示すように、入力側端子がＤＰコネクタ４１を介してＰＣ２のＤＶＩ／ＨＤＭＩ出力部２１２に接続される。また、レベルシフタ１０１は、出力端子がＤＶＩ／ＨＤＭＩ接続ケーブル５０を介してディスプレイ装置３のＤＶＩ／ＨＤＭＩ受信部３０１に接続される。この場合、レベルシフタ１０１は、ＤＶＩ／ＨＤＭＩ信号の入力をＤＶＩ／ＨＤＭＩ出力部２１２から受ける。そして、レベルシフタ１０１は、入力されたＤＶＩ／ＨＤＭＩ信号の利得率を変更し、ＤＶＩ／ＨＤＭＩ接続ケーブル５０を介してＤＶＩ／ＨＤＭＩ受信部３０１へ出力する。
【００４９】
ＤＤＣバッファ１０２は、ＤＰコネクタ４１に繋がる経路とＤＶＩ／ＨＤＭＩコネクタ５１に繋がる経路とを有する。ここで、パッシブアダプタ１が有する図１には図示しないＤＶＩ／ＨＤＭＩポートにＤＶＩ／ＨＤＭＩコネクタ５１が接続されるが、以下の説明では、パッシブアダプタ１のＤＶＩ／ＨＤＭＩポートとＤＶＩ／ＨＤＭＩコネクタ５１とを同一視して説明する。このＤＶＩ／ＨＤＭＩコネクタ５１で表されるＤＶＩ／ＨＤＭＩポートが、「第２ポート」の一例にあたる。
【００５０】
ＤＤＣバッファ１０２とＤＰコネクタ４１とを繋ぐ経路は、途中で分岐しプルアップ抵抗１０９が接続される。また、ＤＤＣバッファ１０２とＤＰコネクタ４１とを繋ぐ経路は、ＤＰコネクタ４１とＤＤＣバッファ１０２の間でプルアップ抵抗１０９とは異なる場所でさらに分岐し判定回路１０３が接続される。ＤＤＣバッファ１０２は、ＤＤＣ信号の送受信の中継を行う。具体的には、ＤＤＣバッファ１０２は、入力されたＤＤＣ信号を蓄え、タイミングを調整して送信先に出力する。
【００５１】
正常に接続された場合、ＤＤＣバッファ１０２は、図１に示すようにＤＰコネクタ４１を介してＰＣ２のＤＤＣ信号通信部２０４に接続される。また、ＤＤＣバッファ１０２は、ＤＶＩ／ＨＤＭＩ接続ケーブル５０を介してディスプレイ装置３のＤＤＣ信号通信部３０２に接続される。そして、ＤＤＣバッファ１０２は、ＤＤＣ信号通信部２０４から出力されたＤＤＣ信号を蓄えてタイミングを調整してＤＤＣ信号通信部３０２へ出力する。また、ＤＤＣバッファ１０２は、ＤＤＣ信号通信部３０２から出力されたＤＤＣ信号を蓄えてタイミングを調整してＤＤＣ信号通信部２０４へ出力する。
【００５２】
プルアップ電源１１１は、ＤＤＣバッファ１０２とＤＰコネクタ４１とを繋ぐ経路上にプルアップ抵抗１０９及びプルアップスイッチ１１０を介して接続される。プルアップ電源１１１は、３．３Ｖの電源である。
【００５３】
プルアップ抵抗１０９は、一端がＤＤＣバッファ１０２とＤＰコネクタ４１とを繋ぐ経路に接続され、他端がプルアップスイッチ１１０に接続される。
【００５４】
プルアップスイッチ１１０は、プルアップ電源１１１とプルアップ抵抗１０９の間に配置される。プルアップスイッチ１１０は、判定回路１０３からの制御を受けて、プルアップ電源１１１とプルアップ抵抗１０９とを結ぶ経路の接続と切断とを切り替える。以下では、プルアップスイッチ１１０がプルアップ電源１１１とプルアップ抵抗１０９とを結ぶ経路を接続する場合、プルアップスイッチ１１０がオンであるという。また、プルアップスイッチ１１０がプルアップ電源１１１とプルアップ抵抗１０９とを結ぶ経路を切断する場合、プルアップスイッチ１１０がオフであるという。
【００５５】
プルアップスイッチ１１０がオンの場合、ＤＤＣバッファ１０２に入力される電位は、プルアップ電源１１１及びプルアップ抵抗１０９により３．３Ｖに固定する。また、プルアップスイッチ１１０がオフの場合、プルアップ電源１１１及びプルアップ抵抗１０９による３．３Ｖの電位の固定は行われない。
【００５６】
昇圧器１０４は、ＤＰコネクタ４１に繋がる経路とＤＶＩ／ＨＤＭＩコネクタ５１に繋がる経路とを有する。昇圧器１０４とＤＰコネクタ４１とを繋ぐ経路は、途中で分岐して抵抗１０６が接続される。さらに、昇圧器１０４とＤＰコネクタ４１とを繋ぐ経路は、抵抗１０６が接続される位置とは異なる位置で分岐して判定部１０５に接続される。また、昇圧器１０４とＤＶＩ／ＨＤＭＩコネクタ５１とを繋ぐ経路は、途中に昇圧器１０４からＤＶＩ／ＨＤＭＩコネクタ５１に向けて電気を流すダイオード１０７が配置される。さらに、昇圧器１０４とＤＶＩ／ＨＤＭＩコネクタ５１とを繋ぐ経路はダイオード１０７の出力側で分岐して判定部１０５に接続される。加えて、昇圧器１０４とＤＶＩ／ＨＤＭＩコネクタ５１とを繋ぐ経路は、ダイオード１０７の入力側及び出力側の双方の位置で分岐して判定回路１０３に接続される。
【００５７】
昇圧器１０４は、判定部１０５の制御を受けて、オンオフが切り替わる。昇圧器１０４は、オンの場合、ＤＰコネクタ４１を介して入力された電圧を昇圧しダイオード１０７へ向けて出力する。また、オフの場合、昇圧器１０４は、ＤＰコネクタ４１を介して入力された電圧を昇圧を出力しない。
【００５８】
判定部１０５は、図３に示す判定テーブル１５０を予め有する。図３は、判定テーブルの一例の図である。この判定部１０５が、「第１判定部」の一例にあたる。
【００５９】
判定テーブル１５０におけるＡは、昇圧器１０４とＤＰコネクタ４１とを結ぶ経路の電圧レベルを表す。昇圧器１０４とＤＰコネクタ４１とを結ぶ経路の電圧レベルがＨｉｇｈであればＡは１であり、昇圧器１０４とＤＰコネクタ４１とを結ぶ経路の電圧レベルがＬｏｗであればＡは０である。また、判定テーブル１５０におけるＢは、ダイオード１０７とＤＶＩ／ＨＤＭＩコネクタ５１とを結ぶ経路の電圧レベルを表す。ダイオード１０７とＤＶＩ／ＨＤＭＩコネクタ５１とを結ぶ経路の電圧レベルがＨｉｇｈであればＢは１であり、ダイオード１０７とＤＶＩ／ＨＤＭＩコネクタ５１とを結ぶ経路の電圧レベルがＬｏｗであればＢは０である。さらに判定テーブル１５０におけるＸは、判定部１０５による昇圧器１０４の制御を表す。Ｘが０の場合、判定部１０５は、昇圧器１０４をオフにする。Ｘが１の場合、判定部１０５は、昇圧器１０４をオンにする。さらに、Ｘが「Ｘ」の場合、判定部１０５は、昇圧器１０４の状態を維持する。
【００６０】
判定部１０５は、起動時に昇圧器１０４をオフに設定する。次に、判定部１０５は、昇圧器１０４とＤＰコネクタ４１とを結ぶ経路の電圧の入力を受ける。そして、判定部１０５は、昇圧器１０４とＤＰコネクタ４１とを結ぶ経路の電圧レベルがハイレベル、すなわち０より大きい電圧がかかっていれば、Ａを１とする。これに対して、昇圧器１０４とＤＰコネクタ４１とを結ぶ経路の電圧レベルがＬｏｗ、すなわち電圧が０であれば、判定部１０５は、Ａを０とする。
【００６１】
また、判定部１０５は、ダイオード１０７とＤＶＩ／ＨＤＭＩコネクタ５１とを結ぶ経路の電圧の入力を受ける。そして、判定部１０５は、ダイオード１０７とＤＶＩ／ＨＤＭＩコネクタ５１とを結ぶ経路の電圧レベルがハイレベル、すなわち０より大きい電圧がかかっていれば、Ｂを１とする。これに対して、ダイオード１０７とＤＶＩ／ＨＤＭＩコネクタ５１とを結ぶ経路の電圧レベルがＬｏｗ、すなわち電圧が０であれば、判定部１０５は、Ｂを０とする。
【００６２】
そして、判定部１０５は、取得したＡ及びＢの値に対応するＸの値を判定テーブル１５０から取得する。例えば、昇圧器１０４とＤＰコネクタ４１とを結ぶ経路の電圧及びダイオード１０７とＤＶＩ／ＨＤＭＩコネクタ５１とを結ぶ経路の電圧レベルがいずれもＬｏｗであれば、判定部１０５は、Ａ及びＢをいずれも０とする。この場合、判定部１０５は、判定テーブル１５０からＸの値として０を取得する。そして、判定部１０５は、昇圧器１０４をオフにする。
【００６３】
また、例えば、昇圧器１０４とＤＰコネクタ４１とを結ぶ経路の電圧レベルがＬｏｗであり、ダイオード１０７とＤＶＩ／ＨＤＭＩコネクタ５１とを結ぶ経路の電圧レベルがＨｉｇｈであれば、判定部１０５は、Ａを０としＢを１とする。この場合、判定部１０５は、判定テーブル１５０からＸの値として０を取得する。そして、判定部１０５は、昇圧器１０４をオフにする。
【００６４】
また、例えば、昇圧器１０４とＤＰコネクタ４１とを結ぶ経路の電圧レベルがＨｉｇｈであり、ダイオード１０７とＤＶＩ／ＨＤＭＩコネクタ５１とを結ぶ経路の電圧レベルがＬｏｗであれば、判定部１０５は、Ａを１としＢを０とする。この場合、判定部１０５は、判定テーブル１５０からＸの値として１を取得する。そして、判定部１０５は、昇圧器１０４をオンにする。
【００６５】
また、例えば、昇圧器１０４とＤＰコネクタ４１とを結ぶ経路の電圧レベル及びダイオード１０７とＤＶＩ／ＨＤＭＩコネクタ５１とを結ぶ経路の電圧レベルがいずれもＨｉｇｈであれば、判定部１０５は、Ａ及びＢをいずれも１とする。この場合、判定部１０５は、判定テーブル１５０からＸの値としてＸを取得する。そして、判定部１０５は、昇圧器１０４をそのままの状態で維持する。
【００６６】
図１に示すように正常に接続された場合、ＰＣ２のＤＰ用電圧２０７から出力された３．３Ｖの電圧の電気が昇圧器１０４へ入力されるので、判定部１０５は、ＤＰコネクタ４１と昇圧器１０４とを結ぶ経路の電圧を３．３Ｖと測定する。この場合、判定部１０５は、Ａを１とする。また、昇圧器１０４はオフでありダイオード１０７には電気が流れないので、判定部１０５は、ダイオード１０７とＤＶＩ／ＨＤＭＩコネクタ５１とを結ぶ経路の電圧を０Ｖと測定する。この場合、判定部１０５は、Ｂを０とする。そこで、判定部１０５は、判定テーブル１５０からＸの値として１を取得する。すなわち、判定部１０５は、昇圧器１０４をオンにする。昇圧器１０４がオンにされると、昇圧器１０４とダイオード１０７との間の電圧レベルはＨｉｇｈとなる。
【００６７】
ＬＥＤ１１２は、接続状態を表す表示装置である。ＬＥＤ１１２は、緑及び青の２色に点灯する。ＬＥＤ１１２が緑の場合、ＤＰコネクタ４１にディスプレイポートに非対応の装置が接続されたことを示す。ＬＥＤ１１２が青の場合、パッシブアダプタ１が逆向きに接続されていることを示す。ここで、パッシブアダプタ１が逆向きに接続されているとは、ＤＰコネクタ４１側にディスプレイポートを有する表示装置が接続され、ＤＶＩ／ＨＤＭＩコネクタ５１側にＤＶＩ／ＨＤＭＩポートを有する情報処理装置が接続された状態を指す。以下では、逆向きの接続を「逆接続」という。また、正しい向きの接続、すなわち、ＤＰコネクタ４１側にディスプレイポートを有する情報処理装置が接続され、ＤＶＩ／ＨＤＭＩコネクタ５１側にＤＶＩ／ＨＤＭＩポートを有する表示装置が接続された接続を「順接続」という。このＬＥＤ１１２が、「報知部」の一例にあたる。
【００６８】
判定回路１０３は、可変ダイオード１０８を介してグランドに接続される。判定回路１０３は、ＤＤＣバッファ１０２に入力される電圧の入力を受ける。また、判定回路１０３は、昇圧器１０４とダイオード１０７とを結ぶ経路の電圧の入力を受ける。さらに、判定回路１０３は、ダイオード１０７とＤＶＩ／ＨＤＭＩコネクタ５１とを結ぶ経路の電圧の入力を受ける。
【００６９】
判定回路１０３は、昇圧器１０４とダイオード１０７とを結ぶ経路から電圧レベルがＨｉｇｈの場合、すなわち０Ｖより大きい電圧の場合、昇圧器１０４がオンであると判定する。また、昇圧器１０４とダイオード１０７とを結ぶ経路から電圧レベルがＬｏｗの場合、すなわち０Ｖの電位の場合、判定回路１０３は、昇圧器１０４がオフであると判定する。
【００７０】
そして、判定回路１０３は、昇圧器１０４がオンであれば、一度プルアップスイッチ１１０をオフにする。そして、判定回路１０３は、ＤＤＣバッファ１０２へ入力される電圧を測定する。測定した電圧が３．３Ｖであれば、デュアルモード対応の装置に正常に接続されていると判定する。この場合、判定回路１０３は、ＬＥＤ１１２を点灯させない。
【００７１】
これに対して、電圧が検出されない場合、判定回路１０３は、ＤＰコネクタ４１にデュアルモード非対応の装置が接続されていると判定する。そして、判定回路１０３は、ＬＥＤ１１２を緑色に点灯させる。
【００７２】
一方、昇圧器１０４がオフであれば、判定回路１０３は、パッシブアダプタ１が逆接続であると判定する。そして、判定回路１０３は、ＬＥＤ１１２を緑色に点灯させる。
【００７３】
図１に示すように正常に接続された場合、昇圧器１０４は、判定部１０５によりオンにされるので、昇圧器１０４とダイオード１０７との間の電圧レベルはＨｉｇｈとなる。判定回路１０３は、昇圧器１０４とダイオード１０７との間の電圧レベルはＨｉｇｈであることを検出し、昇圧器１０４がオンであると判定する。そして、判定回路１０３は、昇圧器１０４がオンであることからパッシブアダプタ１が順接続に接続されていると判定する。次に、判定回路１０３は、プルアップスイッチ１１０をオフにする。そして、判定回路１０３は、ＤＰコネクタ４１とＤＤＣバッファ１０２とを繋ぐ経路の電圧を測定する。この場合、ＤＤＣ信号通信部２０４から出力されたクロック信号の３．３Ｖの電圧が入力される。そのため、判定回路１０３は、ＤＤＣバッファ１０２に入力される電圧として３．３Ｖの電圧を測定する。そこで、判定回路１０３は、パッシブアダプタ１は、デュアルモードに対応したＰＣ２に正常に接続されていると判定する。この場合、判定回路１０３は、ＬＥＤ１１２を点灯しない。この時、ＬＥＤ１１２が点灯しておらず情報提供をしていないが、利用者は、ディスプレイ装置３の表示画面に映像が映し出されているので、パッシブアダプタ１が正常に接続されていることを確認することができる。この判定回路１０３が、「第２判定部」の一例にあたる。
【００７４】
ここまでは、主にパッシブアダプタ１が順接続でデュアルモードに対応したＰＣ２に接続された場合の動作を説明したが、次に、図４を参照して、デュアルモード非対応のディスプレイポートに接続された場合の動作についてまとめて説明する。図４は、デュアルモード非対応のディスプレイポートに接続された場合のブロック図である。
【００７５】
デュアルモード非対応のＰＣ２は、ＤＰ出力部２１１、ＡＵＸ信号通信部２０３及びＤＰ用電圧２０７を有する。
【００７６】
ＰＣ２にＤＰコネクタ４１が接続されると、ＤＰ出力部２１１は、レベルシフタ１０１に接続される。この場合、ＤＰ出力部２１１は、ＤＰコネクタ４１を介してＤＰ信号をレベルシフタ１０１へ出力する。
【００７７】
また、ＰＣ２にＤＰコネクタ４１が接続されると、ＡＵＸ信号通信部２０３は、ＤＤＣバッファ１０２に接続される。この場合、ＡＵＸ信号通信部２０３は、ＤＰコネクタ４１を介してＡＵＸ信号をＤＤＣバッファ１０２へ出力する。
【００７８】
また、ＤＰ用電圧２０７は、ＤＰコネクタ４１を介して昇圧器１０４へ３．３Ｖの電圧の電気を供給する。
【００７９】
ディスプレイ装置３は、ＤＶＩ／ＨＤＭＩポートを有する。そして、ディスプレイ装置３は、ＤＶＩ／ＨＤＭＩ受信部３０１、ＤＤＣ信号通信部３０２及び電源電圧３０３を有する。
【００８０】
ＤＶＩ／ＨＤＭＩ受信部３０１は、ＤＰ信号の入力を受けた場合、信号の処理を行わない。その場合、ディスプレイ装置３の表示画面には映像が映し出されない。ＤＤＣ信号通信部３０２は、ＡＵＸ信号を用いた通信は行わない。
【００８１】
レベルシフタ１０１は、ＤＰコネクタ４１を介してＤＰ信号の入力をＤＰ出力部２１１から受ける。そして、レベルシフタ１０１は、ＤＶＩ／ＨＤＭＩ接続ケーブル５０を介してＤＰ信号をＤＶＩ／ＨＤＭＩ受信部３０１へ出力する。
【００８２】
ＤＤＣバッファ１０２は、ＤＰコネクタ４１を介してＡＵＸ信号の入力をＡＵＸ信号通信部２０３から受ける。そして、ＤＤＣバッファ１０２は、ＡＵＸ信号を蓄え、タイミングを調整してＤＶＩ／ＨＤＭＩ接続ケーブル５０を介してＤＤＣ信号通信部３０２へ出力する。
【００８３】
判定部１０５は、起動時に昇圧器１０４をオフにする。そして、判定部１０５は、ＰＣ２のＤＰ用電圧２０７から出力された３．３Ｖの電圧の電気が昇圧器１０４へ入力されるので、ＤＰコネクタ４１と昇圧器１０４とを結ぶ経路の電圧を３．３Ｖと測定する。この場合、判定部１０５は、Ａを１とする。また、昇圧器１０４はオフでありダイオード１０７には電気が流れないので、判定部１０５は、ダイオード１０７とＤＶＩ／ＨＤＭＩコネクタ５１とを結ぶ経路の電圧を０Ｖと測定する。この場合、判定部１０５は、Ｂを０とする。そこで、判定部１０５は、判定テーブル１５０からＸの値として１を取得する。そして、判定部１０５は、昇圧器１０４をオンにする。昇圧器１０４がオンにされると、昇圧器１０４とダイオード１０７との間の電圧レベルはＨｉｇｈとなる。
【００８４】
判定回路１０３は、昇圧器１０４とダイオード１０７との間の電圧レベルをＨｉｇｈと判定する。これにより、判定回路１０３は、パッシブアダプタ１が順接続であると判定する。
【００８５】
次に、判定回路１０３は、プルアップスイッチ１１０をオフにする。そして、判定回路１０３は、ＤＤＣバッファ１０２へ入力される電圧を測定する。ＡＵＸ信号通信部２０３は、プルアップされた電圧を有するクロック信号の入力は行わないため、判定回路１０３は、ＤＤＣバッファ１０２へ３．３Ｖにプルアップされた信号を検出しない。そこで、判定回路１０３は、ＰＣ２においてプルアップ電源２４２が存在しないと判定する。これにより、判定回路１０３は、ＰＣ２が有するディスプレイポートがデュアルモード非対応であると判定する。そして、判定回路１０３は、ＬＥＤ１１２を緑色に点灯させる。その後、判定回路１０３は、プルアップスイッチ１１０をオンにする。
【００８６】
この場合、ディスプレイ装置３のＤＶＩ／ＨＤＭＩ受信部３０１は、ＤＶＩ／ＨＤＭＩ接続ケーブル５０を介してレベルシフタ１０１からＤＰ信号を受信する。ＤＶＩ／ＨＤＭＩ受信部３０１は、ＤＰ信号の処理は行わないため、ディスプレイ装置３の表示画面には映像が映し出されない。
【００８７】
利用者はディスプレイ装置３の表示画面を見ただけでは、何が起こっているのか確認することが困難である。そこで、利用者は、パッシブアダプタ１に搭載されたＬＥＤ１１２が緑色に点灯していることを確認することで、パッシブアダプタ１がデュアルモードに非対応のＰＣ２に接続されたことを把握できる。
【００８８】
次に、図５を参照して、パッシブアダプタ１が逆接続された場合の動作についてまとめて説明する。図５は、パッシブアダプタが逆接続された場合のブロック図である。
【００８９】
この場合、ＰＣ２は、ＤＶＩ／ＨＤＭＩポートを有する。そして、ＰＣ２は、ＤＶＩ／ＨＤＭＩ出力部２１２、ＤＤＣ信号通信部２０４及びＤＶＩ／ＨＤＭＩ用電圧２０８を有する。
【００９０】
ＰＣ２のＤＶＩ／ＨＤＭＩ出力部２１２は、ＤＶＩ／ＨＤＭＩ接続ケーブル５０を介してレベルシフタ１０１に接続される。この場合、ＤＶＩ／ＨＤＭＩ出力部２１２は、ＤＶＩ／ＨＤＭＩ信号をレベルシフタ１０１へ出力する。
【００９１】
また、ＤＤＣ信号通信部２０４は、ＤＶＩ／ＨＤＭＩ接続ケーブル５０を介してＤＤＣバッファ１０２に接続される。この場合、ＤＤＣ信号通信部２０４は、ＤＤＣ信号をＤＤＣバッファ１０２へ出力する。
【００９２】
また、ＤＶＩ／ＨＤＭＩ用電圧２０８は、ＤＶＩ／ＨＤＭＩ接続ケーブル５０を介してダイオード１０７の出力側へ５．０Ｖの電圧の電気を供給する。
【００９３】
レベルシフタ１０１は、ＤＶＩ／ＨＤＭＩ接続ケーブル５０を介してＤＶＩ／ＨＤＭＩ信号の入力をＤＶＩ／ＨＤＭＩ出力部２１２から受ける。
【００９４】
ＤＤＣバッファ１０２は、ＤＶＩ／ＨＤＭＩ接続ケーブル５０を介してＤＶＩ／ＨＤＭＩ信号の入力をＤＤＣ信号通信部２０４から受ける。そして、ＤＤＣバッファ１０２は、ＤＶＩ／ＨＤＭＩ信号を蓄え、タイミングを調整してＤＰコネクタ４１を介してＡＵＸ信号通信部３０５へ出力する。
【００９５】
ディスプレイ装置３は、ディスプレイポートを有する。そして、ディスプレイ装置３は、ＤＰ受信部３０４、ＡＵＸ信号通信部３０５及びＤＰ用電圧３０６を有する。
【００９６】
ＤＰ用電圧３０６は、電圧が３．３Ｖである電気を供給する。例えば、ＤＰ用電圧３０６は、ディスプレイ装置３の拡張アダプタが接続された場合、接続された拡張アダプタへ電力供給を行う電源となる。
【００９７】
ＤＰ受信部３０４は、ＤＶＩ／ＨＤＭＩ信号の入力を受けた場合、信号の処理を行わない。その場合、ディスプレイ装置３の表示画面には映像が映し出されない。ＡＵＸ信号通信部３０５は、ＤＤＣ信号を用いた通信は行わない。
【００９８】
判定部１０５は、起動時に昇圧器１０４をオフにする。そして、昇圧器１０４にはディスプレイ装置３のＤＰ用電圧３０６から電圧が３．３Ｖの電気が供給されるので、判定部１０５は、ＤＰコネクタ４１と昇圧器１０４とを結ぶ経路の電圧を３．３Ｖと測定する。この場合、判定部１０５は、Ａを１とする。また、判定部１０５は、ＰＣ２のＤＶＩ／ＨＤＭＩ用電圧２０８から出力された５．０Ｖの電圧の電気が昇圧器１０４へ入力されるので、ダイオード１０７とＤＶＩ／ＨＤＭＩコネクタ５１とを結ぶ経路の電圧を５．０Ｖと測定する。この場合、判定部１０５は、Ｂを１とする。そこで、判定部１０５は、判定テーブル１５０からＸの値としてＸを取得する。この場合、判定部１０５は、昇圧器１０４の状態を維持する。すなわち、昇圧器１０４はオフのままとされる。昇圧器１０４がオフの場合、昇圧器１０４とダイオード１０７との間の電圧レベルはＬｏｗとなる。
【００９９】
判定回路１０３は、昇圧器１０４とダイオード１０７との間の電圧レベルをＬｏｗと判定する。これにより、判定回路１０３は、パッシブアダプタ１が逆接続であると判定する。そして、判定回路１０３は、ＬＥＤ１１２を青色に点灯させる。
【０１００】
この場合、ディスプレイ装置３のＤＰ受信部３０４は、ＤＰコネクタ４１を介してレベルシフタ１０１からＤＶＩ／ＨＤＭＩ信号を受信する。ＤＰ受信部３０４は、ＤＶＩ／ＨＤＭＩ信号の処理は行わないため、ディスプレイ装置３の表示画面には何も表示されない。
【０１０１】
利用者はディスプレイ装置３の表示画面を見ただけでは、何が起こっているのか確認することが困難である。そこで、利用者は、パッシブアダプタ１に搭載されたＬＥＤ１１２が緑色に点灯していることを確認することで、パッシブアダプタ１が逆接続であることを把握できる。
【０１０２】
次に、図６を参照して、判定部１０５による昇圧器１０４の制御の流れについて説明する。図６は、判定部による昇圧器の制御のフローチャートである。
【０１０３】
判定部１０５は、起動時にＸを０として昇圧器１０４をオフに設定する（ステップＳ１１）。
【０１０４】
次に、判定部１０５は、ＤＰコネクタ４１と昇圧器１０４とを結ぶ経路の電圧レベルがＬｏｗであるか否かによりＡが０か否かを判定する（ステップＳ１２）。電圧レベルがＬｏｗ、すなわちＡが０の場合（ステップＳ１２：肯定）、判定部１０５は、ＰＣ２が未接続と判定し（ステップＳ１３）、ステップＳ１２へ戻る。
【０１０５】
これに対して、電圧レベルがＨｉｇｈ、すなわちＡが１の場合（ステップＳ１２：否定）、判定部１０５は、ダイオード１０７とＤＶＩ／ＨＤＭＩコネクタ５１とを結ぶ経路の電圧レベルがＬｏｗであるか否かによりＢが０か否かを判定する（ステップＳ１４）。
【０１０６】
電圧レベルがＬｏｗ、すなわちＢが０の場合（ステップＳ１４：肯定）、判定部１０５は、判定テーブル１５０からＸの値として１を取得し、昇圧器１０４をオンにする（ステップＳ１５）。この場合、パッシブアダプタ１は、順接続の状態である。
【０１０７】
これに対して、電圧レベルがＨｉｇｈ、すなわちＢが１の場合（ステップＳ１４：否定）、判定部１０５は、判定テーブル１５０からＸの値としてＸを取得し、昇圧器１０４の状態をオフの状態に維持する（ステップＳ１６）。この場合、パッシブアダプタ１は、逆接続の状態である。
【０１０８】
次に、図７を参照して、本実施例に係る判定回路１０３によるＬＥＤ１１２の点灯制御の流れについて説明する。図７は、実施例１に係る判定回路によるＬＥＤの点灯制御のフローチャートである。
【０１０９】
判定回路１０３は、昇圧器１０４とダイオード１０７とを結ぶ経路の電位により、昇圧器１０４がオンであるか否かを判定する（ステップＳ１０１）。
【０１１０】
昇圧器１０４がオンの場合（ステップＳ１０１：肯定）、判定回路１０３は、プルアップスイッチ１１０をオフにする（ステップＳ１０２）。
【０１１１】
次に、判定回路１０３は、ＤＤＣバッファ１０２に供給される信号の中でＰＣ２側のプルアップ電源２４２が検出されるか否かを判定する（ステップＳ１０３）。ＤＤＣ信号通信部２０４に接続されていれば、ＤＤＣ信号のクロック信号として３．３Ｖに電位が固定された信号が検出されるので、判定回路１０３は、ＰＣ２側のプルアップ電源２４２が検出されると判定する。また、ＡＵＸ信号通信部２０３に接続されていれば、プルアップされた信号が検出されないので、判定回路１０３は、ＰＣ２側のプルアップ電源２４２が検出されないと判定する。
【０１１２】
プルアップ電源２４２が検出される場合（ステップＳ１０３:肯定）、判定回路１０３は、パッシブアダプタ１が順接続の状態でデュアルモードに対応したディスプレイポートに接続したと判定し（ステップＳ１０４）、ステップＳ１０７へ進む。
【０１１３】
これに対して、プルアップ電源２４２が検出されない場合（ステップＳ１０３:否定）、判定回路１０３は、パッシブアダプタ１が順接続の状態でデュアルモードに非対応のディスプレイポートに接続したと判定する（ステップＳ１０５）。
【０１１４】
そして、判定回路１０３は、ＬＥＤ１１２を緑色に点灯させ（ステップＳ１０６）、ステップＳ１０７へ進む。
【０１１５】
その後、判定回路１０３は、プルアップスイッチ１１０をオンにする（ステップＳ１０７）。
【０１１６】
一方、昇圧器１０４がオフの場合（ステップＳ１０１：否定）、判定回路１０３は、パッシブアダプタ１が逆接続の状態と判定する（ステップＳ１０８）。
【０１１７】
そして、判定回路１０３は、ＬＥＤ１１２を青色に点灯させる（ステップＳ１０９）。
【０１１８】
ここで、本実施例ではＬＥＤ１１２を用いて誤接続の状態の報知を行ったが、ＰＣ２やディスプレイ装置３に依存しない報知方法であれば、他の報知方法を用いてもよい。
【０１１９】
以上に説明したように、本実施例に係るパッシブアダプタは、順接続か逆接続かを判定し、さらに順接続の場合にデュアルモードに対応するディスプレイポートに接続されたか否かを判定し、それぞれの状態をＬＥＤを用いて報知する。これにより、利用者は、誤接続によりディスプレイ装置の表示画面に映像が表示されない状態でも、パッシブアダプタのＬＥＤを確認することで誤接続の状態を容易に把握することができる。そして、利用者は、取得した情報を基に、パッシブアダプタの接続を適切な状態に変更することができる。
【０１２０】
また、本実施例に係るパッシブアダプタは、ＰＣ及びディスプレイ装置のインタフェースの仕様を変更することなく実現できるので、製造及び導入を容易に低コストで行うことができる。
【実施例２】
【０１２１】
次に、実施例２について説明する。本実施例に係るパッシブアダプタ１は、デュアルモードに対応したディスプレイポートを有するＰＣにおいてＤＶＩ／ＨＤＭＩの出力への切替が困難な場合に、報知を行うことが実施例１と異なる。
【０１２２】
図８は、デュアルモードに対応したディスプレイポートを有するＰＣにおいてＤＶＩ／ＨＤＭＩの出力への切替が困難な状態を表したブロック図である。以下の説明では、実施例１と同様の各部の機能については説明を省略する。図８では、ＰＣ２においてＤＶＩ／ＨＤＭＩの出力への切替が困難となったデュアルモード出力部２０１、並びに、そのデュアルモード出力部２０１に対応するＡＵＸ信号通信部２０３及びＤＤＣ信号通信部２０４を一例として記載した。実際には、ＰＣ２は、他にもデュアルモード出力部２０１、ＡＵＸ信号通信部２０３及びＤＤＣ信号通信部２０４を有する。
【０１２３】
デュアルモードに対応したディスプレイポートを有するＰＣ２であっても、ディスプレイポートが複数ある場合、ＤＶＩ／ＨＤＭＩの出力へ切り替えることが可能なポート数が決まっている場合がある。その場合、検出回路２０６は、切替可能な数のディスプレイポートを既にＤＶＩ／ＨＤＭＩの出力に切り替えてしまっていると、パッシブアダプタ１が接続されてもＤＶＩ／ＨＤＭＩ出力部２１２に接続するようにスイッチ２０５を切り替えない。すなわち、検出回路２０６は、ディスプレイポートからのＤＶＩ／ＨＤＭＩの出力への切り替えを制限する。この検出回路２０６が、「制限部」の一例にあたる。
【０１２４】
ただし、検出回路２０６は、スイッチ２０５をＤＤＣ信号通信部２０４に接続するように切り替えることはできる。そこで、ＤＶＩ／ＨＤＭＩの出力へ切り替えることが可能なポート数を超えるパッシブアダプタ１及びディスプレイ装置３がＰＣ２に接続された場合、図８に示す状態となる。
【０１２５】
判定部１０５は、起動時に昇圧器１０４をオフにした後、ＤＰコネクタ４１と昇圧器１０４とを結ぶ経路の電圧レベルがＨｉｇｈであり、ダイオード１０７とＤＶＩ／ＨＤＭＩコネクタ５１とを接続する経路の電圧レベルがＬｏｗであることを検出する。そして、判定部１０５は、昇圧器１０４をオンにする。
【０１２６】
判定回路１０３は、昇圧器１０４とダイオード１０７との間の電圧レベルはＨｉｇｈであることを検出し、昇圧器１０４がオンであると判定する。そして、判定回路１０３は、昇圧器１０４がオンであることからパッシブアダプタ１が順接続に接続されていると判定する。
【０１２７】
次に、判定回路１０３は、プルアップスイッチ１１０をオフにする。そして、判定回路１０３は、ＤＰコネクタ４１とＤＤＣバッファ１０２とを繋ぐ経路の電圧を測定する。この場合も、ＤＤＣ信号通信部２０４側にスイッチ２０５は切り替わっているため、図２に示すように、３．３Ｖに電位が固定されたクロック信号がＤＤＣバッファ１０２へ供給される。そのため、判定回路１０３は、ＤＤＣバッファ１０２に入力される電圧として３．３Ｖの電圧を測定する。そこで、判定回路１０３は、パッシブアダプタ１は、順接続でデュアルモードに対応したディスプレイポートに接続されていると判定する。ただし、この場合、ＤＶＩ／ＨＤＭＩの出力への切り替えが行われなかった可能性があるため、判定回路１０３は、ＬＥＤ１１２を赤色に点灯する。
【０１２８】
この場合、パッシブアダプタ１は、順接続でデュアルモードに対応したディスプレイポートに接続されているが、ディスプレイ装置３の表示画面には映像が映し出されていない。そこで、利用者は、パッシブアダプタ１のＬＥＤ１１２が赤色に点灯していることを確認することで、デュアルモードに対応したディスプレイポートのＤＶＩ／ＨＤＭＩの出力への切り替えが行われなかったことを確認できる。
【０１２９】
また、本実施例に係るパッシブアダプタ１では、デュアルモードに対応したディスプレイポートのＤＶＩ／ＨＤＭＩの出力への切り替えが行われた場合にもＬＥＤ１１２が赤色に点灯する。しかし、ディスプレイ装置３の表示画面に映像が映し出されているので、利用者は、パッシブアダプタ１が正常に接続されていることを確認することができ、ＤＶＩ／ＨＤＭＩの出力への切り替えが行われなかった場合と区別できる。
【０１３０】
次に、図９を参照して、本実施例に係る判定回路１０３によるＬＥＤ１１２の点灯制御の流れについて説明する。図９は、実施例２に係る判定回路によるＬＥＤの点灯制御のフローチャートである。
【０１３１】
判定回路１０３は、昇圧器１０４とダイオード１０７とを結ぶ経路の電位により、昇圧器１０４がオンであるか否かを判定する（ステップＳ２０１）。
【０１３２】
昇圧器１０４がオンの場合（ステップＳ２０１：肯定）、判定回路１０３は、プルアップスイッチ１１０をオフにする（ステップＳ２０２）。
【０１３３】
次に、判定回路１０３は、ＤＤＣバッファ１０２に供給される信号の中でＰＣ２側のプルアップ電源２４２が検出されるか否かを判定する（ステップＳ２０３）。
【０１３４】
プルアップ電源２４２が検出される場合（ステップＳ２０３:肯定）、判定回路１０３は、パッシブアダプタ１が順接続の状態でデュアルモードに対応したディスプレイポートに接続したと判定する。さらに、判定回路１０３は、ＤＶＩ／ＨＤＭＩの出力への切り替えが行われなかった可能性があると判定する（ステップＳ２０４）。
【０１３５】
そして、判定回路１０３は、ＬＥＤ１１２を赤色に点灯させ（ステップＳ２０５）、ステップＳ２０８へ進む。
【０１３６】
これに対して、プルアップ電源２４２が検出されない場合（ステップＳ２０３:否定）、判定回路１０３は、パッシブアダプタ１が順接続の状態でデュアルモードに非対応のディスプレイポートに接続したと判定する（ステップＳ２０６）。
【０１３７】
そして、判定回路１０３は、ＬＥＤ１１２を緑色に点灯させ（ステップＳ２０７）、ステップＳ２０８へ進む。
【０１３８】
その後、判定回路１０３は、プルアップスイッチ１１０をオンにする（ステップＳ２０８）。
【０１３９】
一方、昇圧器１０４がオフの場合（ステップＳ２０１：否定）、判定回路１０３は、パッシブアダプタ１が逆接続の状態と判定する（ステップＳ２０９）。
【０１４０】
そして、判定回路１０３は、ＬＥＤ１１２を青色に点灯させる（ステップＳ２１０）。
【０１４１】
以上に説明したように、本実施例に係るパッシブアダプタは、デュアルモードに対応したディスプレイポートがＤＶＩ／ＨＤＭＩの出力に切り替わらなかった場合に、ＬＥＤを赤色に点灯させる。これにより、操作者は、順接続でデュアルモードに対応したディスプレイポートに接続しているのに、映像がディスプレイ装置の表示画面に映らない場合に、ＤＶＩ／ＨＤＭＩの出力に切り替わらなかったことを容易に把握することができる。そして、利用者は、取得した情報を基に、パッシブアダプタの接続を適切な状態に変更することができる。
【符号の説明】
【０１４２】
１  パッシブアダプタ
２  パーソナルコンピュータ（ＰＣ）
３  ディスプレイ装置
４１  ＤＰコネクタ
５０  ＤＶＩ／ＨＤＭＩ接続ケーブル
５１，５３  ＤＶＩ／ＨＤＭＩコネクタ
５２  ケーブル
１０１  レベルシフタ
１０２  ＤＤＣバッファ
１０３  判定回路
１０４  昇圧器
１０５  判定部
１０６  抵抗
１０７  ダイオード
１０８  可変ダイオード
１０９  プルアップ抵抗
１１０  プルアップスイッチ
１１１  プルアップ電源
１１２  ＬＥＤ
１５０  判定テーブル
２０１  デュアルモード出力部
２０２  スイッチ
２０３  ＡＵＸ信号通信部
２０４  ＤＤＣ信号通信部
２０５  スイッチ
２０６  検出回路
２０７  ＤＰ用電圧
２０８  ＤＶＩ／ＨＤＭＩ用電圧
２１１  ＤＰ出力部
２１２  ＤＶＩ／ＨＤＭＩ出力部
２３１  キャパシタ
２３２  ＦＥＴスイッチ
２３３  インバータ
２４２  プルアップ電源
２４３  プルアップ抵抗
２４４  ＦＥＴスイッチ
２５０  回路
３０１  ＤＶＩ／ＨＤＭＩ受信部
３０２  ＤＤＣ信号通信部
３０３  電源電圧
３０４  ＤＰ受信部
３０５  ＡＵＸ信号通信部
３０６  ＤＰ用電圧
４１１，４１２  経路
【図１】
2018117225.tif 000003
【図２】
2018117225.tif 000004
【図３】
2018117225.tif 000005
【図４】
2018117225.tif 000006
【図５】
2018117225.tif 000007
【図６】
2018117225.tif 000008
【図７】
2018117225.tif 000009
【図８】
2018117225.tif 000010
【図９】
2018117225.tif 000011